(57)【要約】【課題】従来の空調用に使用される空調用吹出し口において、風が到達する範囲が限られているという課題と、この空調用吹出し口とは別に空気を送り出す機器（空調機や送風機）が別に必要であるという課題があった。これに対し、空調空気を遠くまで届け、単独での設置も可能とすることを目的とする。【解決手段】通風路３に固定された首振り手段２に取付けられた首振りモータ４のシャフト５に首振り支持部６を介して取付けられた通風筒１には、先端には球形状の一部を成す保持部７が設けられている。保持部７に包含され傾動可能に内接保持された球形状の一部を成す可動筒８は、先端に風を吹出すための筒状のノズル９が取付けられている。可動筒８の内部に固定したファン用モータ１１により回転される斜流式羽根車１０が回転することにより通風筒１から空気を吸ってノズル９から外へ風を強く送り出すことができる。【選択図】図１
2008101802.tif 000002
【特許請求の範囲】
【請求項１】
通風路に首振り手段を介して取付けられた通風筒と、前記通風筒の先端に設けられ球状の一部を成す保持部と、前記保持部に包含され内接保持された球形状の一部を成す可動筒と、前記可動筒の先端に取付けられ風を吹出すための筒状のノズルと、前記可動筒の内側に固定されたファン用モータに取付けられた羽根車と、首振り動作を制御する制御装置とを備え、羽根車が回転することによりノズルから吹出される風の力を強くすることができ、ノズルが自動首振りすることでより遠く広い範囲に対し空調空気を送り出せる空調用吹出し口。
【請求項２】
通風路に首振り手段を介して取付けられた通風筒と、前記通風筒の先端に設けられ球状の一部を成す保持部と、前記保持部に包含され内接保持された球形状の一部を成す可動筒と、前記可動筒の先端に取付けられ風を吹出すための筒状のノズルと、前記通風筒の内側にに固定されたファン用モータに取付けられた羽根車と、首振り動作を制御する制御装置とを備え、羽根車が回転することによりノズルから吹出される風の力を強くすることができ、ノズルが自動首振りすることでより遠く広い範囲に対し空調空気を送り出せる空調用吹出し口。
【請求項３】
首振り手段は、制御装置の指令を受け、前記首振りモータのシャフトの回転が正転、逆転を繰り返すことにより自動首振り動作を行う請求項１または２記載の空調用吹出し口。
【請求項４】
前記羽根車は、斜流式羽根車、軸流式羽根車またはプロペラ式羽根車であること特徴とする請求項１〜３いずれかに記載の空調用吹出し口。
【請求項５】
ダンパーを通風路内、ノズル内または可動筒内に取付けて、ノズルから出る風量を制御できる請求項１〜４いずれかに記載の空調用吹出し口。
【請求項６】
制御装置は、設定部と処理部と出力部とを備え、前記設定部で設定した首振り動作の情報を、前記処理部で記憶、処理させた後、出力部より首振りモータへの指令を出す請求項１〜５のいずれかに記載の空調用吹出し口。
【請求項７】
設定部における首振り動作の設定は、首振りＯＮ／ＯＦＦ、首振り速度、首振り角度または首振り中心位置のうち少なくとも一つの情報を含む請求項６記載の空調用吹出し口。
【請求項８】
設定部は送信器を有する無線リモコンと受信器とを含み、前記無線リモコンで設定した情報を前記送信器から前記受信器へ無線通信手段によって伝達させる請求項６または７に記載の空調用吹出し口。
【請求項９】
無線通信手段として赤外線信号を利用した請求項８記載の空調用吹出し口。
【請求項１０】
制御装置にダンパーの開度または／およびファン用モータの回転数を指令する吹出し風量制御手段を備えたことを特徴とする請求項９記載の空調用吹出し口。
【請求項１１】
人感センサをさらに設け、ノズルが首振り動作によって風を吹出す範囲の人の有無を検知し、前記検知情報に基づいて前記吹出し風量制御手段を動作させる請求項１０記載の空調用吹出し口。
【請求項１２】
人感センサが、ノズルが首振り動作によって風を吹出す範囲に人の存在を検知した場合、吹出し風量制御手段により前記ノズルからの風の吹出しを自動的に開始し、人の存在を検知しなくなった場合、所定の遅延時間経過後に前記吹出し風量制御手段により前記ノズルからの風の吹出しを自動的に停止させる請求項１１記載の空調用吹出し口。
【請求項１３】
請求項１〜１２のいずれかに記載の空調用吹出し口を単体で建築構造物に取り付け、周囲の空気を吸込んで目的とする方向へ送風することを特徴とする送風システム。
【請求項１４】
請求項１〜１２いずれかに記載の空調用吹出し口と、冷房、暖房など空調された空気を送る空気調和装置と、前記空気調和装置と前記空調用吹出し口とを連結し空調された空気を通風する通風路とで構成される空調システム。
【発明の詳細な説明】
【技術分野】
【０００１】
本発明は、大空間において冷房や暖房、換気などの空調を行う場合に使用される、空調用吹出し口とそれを用いた送風システムおよび空調システムに関する。
【背景技術】
【０００２】
近年、工場などの大空間の空調は省エネルギーの観点から人のいる場所のみに空調用空気を吹出す、いわゆるゾーン空調を行うことが求められてきている。これを解決するために、自動首振り機構を備えた空調用吹出し口が開発されてきた。従来、この種の空調用吹出し口は、自動首振り手段と風を吹出すためのノズルを備えたものが知られている（例えば、特許文献１参照）。
【０００３】
以下、その空調用吹出し口について図１３を参照しながら説明する。
【０００４】
図１３に示すように、通風筒１０１は通風路１０２に自動首振り手段１０３を介して取付けられており、先端には球形状の一部をなす保持部１０４が設けられている。可動筒１０５は、保持部１０４に包含され傾動可能に内接保持された球形状の一部をなすもので、先端には風を吹出すための筒状のノズル１０６が取付けられている。通風路１０２内に供給された冷房、暖房などの空調用空気は、通風筒１０１を通ってノズル１０６より吹出され、自動首振り手段１０３によってノズル１０６を水平方向に自動首振りさせ、空調用吹出し口斜め下方の人のいる場所周辺に供給させる、いわゆるゾーン空調を行うことができるものである。特に冷房時には、人に向けて直接風を当てることにより、体感温度を下げる効果がある。しかも、人に対しては間欠風が当たるため、快適性を確保することができるものである。
【特許文献１】特開平１１−２８７５１１号公報（第５頁、第２図）
【発明の開示】
【発明が解決しようとする課題】
【０００５】
このような従来の空調用吹出し口では、通風路１０２へ空調された空気を送り出す空調機１０７（図示せず）の空気を送り出す能力と、到達するまでの通風路１０２のダクト抵抗などによってノズル１０６から吹出される風の力が左右され、到達する範囲は限られていたという課題があり、より強力に風が吹出されることを要求されている。
【０００６】
また、従来の空調用吹出し口はノズルなど通風し、風を案内するだけの構成であったので、風を押し出す力は備えていなかった。使用し効果を出すためには必ず、この空調用吹出し口とは別に空気を送り出す機器（空調機や送風機）が必要であった。
【０００７】
さらに通風路からノズル先端までが開放空間だったため、空調空気が必要ない時期や、レイアウト変更などで必要ない場所に設置されていると、そのノズルから空調空気が漏れていた。
【０００８】
本発明は、このような従来の課題を解決するものであり、ノズルから吹出される風の力を強くすることができ、また、ノズルが自動首振りすることでより広い範囲に対しゾーン空調を提供でき、場合によっては空調機などと共に使わず単独でまたは複数で、空気搬送や空気のバリヤーを作ることができ、必要が無い場合は空調された空気を無駄に漏らさない空調用吹出し口を提供することを目的としている。
【課題を解決するための手段】
【０００９】
本発明の空調用吹出し口は上記目的を達成するために、通風路に首振り手段を介して取付けられた通風筒と、前記通風筒の先端に設けられ球状の一部を成す保持部と、前記保持部に包含され内接保持された球形状の一部を成す可動筒と、前記可動筒の先端に取付けられ風を吹出すための筒状のノズルと、前記可動筒の内側に固定されたファン用モータに取付けられた羽根車と、首振り動作を制御する制御装置とを備えたものである。
【００１０】
本構成によって、前記可動筒内の羽根車が回転することによりノズルから吹出される風の力を強くすることができ、ノズルが自動首振りすることでより遠く、広い範囲に対しゾーン空調を提供できる。
【００１１】
また、他の手段は、通風路に首振り手段を介して取付けられた通風筒と、前記通風筒の先端に設けられ球状の一部を成す保持部と、前記保持部に包含され内接保持された球形状の一部を成す可動筒と、前記可動筒の先端に取付けられ風を吹出すための筒状のノズルと、前記通風筒の内側にに固定されたファン用モータに取付けられた羽根車と、首振り動作を制御する制御装置とを備えたものであり、羽根車が回転することによりノズルから吹出される風の力を強くすることができ、ノズルが自動首振りすることでより遠く広い範囲に対し空調空気を送り出せる。
【００１２】
また、他の手段は、首振り手段は、制御装置の指令を受け、前記首振りモータのシャフトの回転が正転、逆転を繰り返すことにより自動首振り動作を行うものである。
【００１３】
また、他の手段は、羽根車として、斜流式羽根車、軸流式羽根車またはプロペラ式羽根車を用いたものである。この手段によれば、ノズルの吹き出し方向に効率よく送風することができる。
【００１４】
また、他の手段はダンパーを通風路内、ノズル内または可動筒内に取付けて、ノズルから出る風量を制御できるものである。この手段によれば、吹出し口近傍で空調が不要なときに吹出し口の閉鎖を行うことができ、空調空気の漏れを防止することができる。
【００１５】
また、他の手段は、制御装置に、設定部と処理部と出力部とを備え、前記設定部で設定した首振り動作の情報を、前記処理部で記憶、処理させた後、出力部より首振りモータへの指令を出すものである。
【００１６】
また、他の手段は、設定部における首振り動作の設定は、首振りＯＮ／ＯＦＦ、首振り速度、首振り角度または首振り中心位置のうち少なくとも一つの情報を含むものである。
【００１７】
また、他の手段は、設定部は送信器を有する無線リモコンと受信器とを含み、前記無線リモコンで設定した情報を前記送信器から前記受信器へ無線通信手段によって伝達させるものである。
【００１８】
また、他の手段は、無線通信手段として赤外線信号を利用したものである。
【００１９】
また、他の手段は、制御装置にダンパーの開度または／およびファン用モータの回転数を指令する吹出し風量制御手段を備えたものである。
【００２０】
また、他の手段は、人感センサをさらに設け、ノズルが首振り動作によって風を吹出す範囲の人の有無を検知し、前記検知情報に基づいて前記吹出し風量制御手段を動作させるものである。
【００２１】
また、他の手段は、人感センサが、ノズルが首振り動作によって風を吹出す範囲に人の存在を検知した場合、吹出し風量制御手段により前記ノズルからの風の吹出しを自動的に開始し、人の存在を検知しなくなった場合、所定の遅延時間経過後に前記吹出し風量制御手段により前記ノズルからの風の吹出しを自動的に停止させるものである。
【００２２】
また、他の手段は、本発明の空調用吹出し口を単体で建築構造物に取り付け、単独あるいは複数の吹出し口が連携して周囲の空気を吸込んで目的とする方向へ送風することを特徴とする送風システムである。
【００２３】
この手段によって、空気を順次搬送する送風システムや、室内外の境界線上に吹出すことでエアーカーテンとして使用する空調システム用途にも活用できるものである。
【００２４】
また、他の手段は、本発明の空調用吹出し口と、冷房、暖房など空調された空気を送る空気調和装置と、前記空気調和装置と前記空調用吹出し口とを連結し空調された空気を通風する通風路とで構成される空調システムである。
【発明の効果】
【００２５】
本発明によれば、空調空気を遠くまで届けることができ、首を振ることでより広いゾーン空調を提供することができる空調用吹出し口を提供することができる。
【００２６】
また、本発明によれば風を起こす機能を空調吹出し口内に持たせることで、単独での設置が可能になる（空調機、送風機がない場所での設置も可能になる）。
【００２７】
また、本発明によればダンパーが付く事により空調空気の吹出しが不要な時には空調空気の漏れを防止する空調用吹出し口を提供できる。
【発明を実施するための最良の形態】
【００２８】
本発明の請求項１記載の空調用吹出し口は、通風路に首振り手段を介して取付けられた通風筒と、前記通風筒の先端に設けられ球状の一部を成す保持部と、前記保持部に包含され内接保持された球形状の一部を成す可動筒と、前記可動筒の先端に取付けられ風を吹出すための筒状のノズルと、前記可動筒の内側に固定されたファン用モータに取付けられた羽根車と、首振り動作を制御する制御装置とを備えたものであり、この空調用吹出し口によれば、前記可動筒内の羽根車が回転することによりノズルから吹出される風の力を強くすることができ、ノズルが自動首振りすることでより遠く、広い範囲に対しゾーン空調を提供できる。
【００２９】
また、本発明の請求項２記載の空調用吹出し口は、通風路に首振り手段を介して取付けられた通風筒と、前記通風筒の先端に設けられ球状の一部を成す保持部と、前記保持部に包含され内接保持された球形状の一部を成す可動筒と、前記可動筒の先端に取付けられ風を吹出すための筒状のノズルと、前記通風筒の内側に固定されたファン用モータに取付けられた羽根車と、首振り動作を制御する制御装置とを備えたものであり、羽根車が回転することによりノズルから吹出される風の力を強くすることができ、ノズルが自動首振りすることでより遠く広い範囲に対し空調空気を送り出せる。
【００３０】
また、本発明の請求項３記載の空調用吹出し口は、首振り手段は、制御装置の指令を受け、前記首振りモータのシャフトの回転が正転、逆転を繰り返すことにより自動首振り動作を行うものである。
【００３１】
また、本発明の請求項４記載の空調用吹出し口は、羽根車として、斜流式羽根車、軸流式羽根車またはプロペラ式羽根車を用いたものである。この手段によれば、ノズルの吹き出し方向に効率よく送風することができる。
【００３２】
また、本発明の請求項５記載の空調用吹出し口は、ダンパーを通風路内、ノズル内または可動筒内に取付けて、ノズルから出る風量を制御できるものである。この手段によれば、吹出し口近傍で空調が不要なときに吹出し口の閉鎖を行うことができ、空調空気の漏れを防止することができる。
【００３３】
また、本発明の請求項６記載の空調用吹出し口は、制御装置に、設定部と処理部と出力部とを備え、前記設定部で設定した首振り動作の情報を、前記処理部で記憶、処理させた後、出力部より首振りモータへの指令を出すものである。
【００３４】
また、本発明の請求項７記載の空調用吹出し口は、設定部における首振り動作の設定は、首振りＯＮ／ＯＦＦ、首振り速度、首振り角度または首振り中心位置のうち少なくとも一つの情報を含むものである。
【００３５】
また、本発明の請求項８記載の空調用吹出し口は、設定部は送信器を有する無線リモコンと受信器とを含み、前記無線リモコンで設定した情報を前記送信器から前記受信器へ無線通信手段によって伝達させるものである。
【００３６】
また、本発明の請求項９記載の空調用吹出し口は、無線通信手段として赤外線信号を利用したものである。
【００３７】
また、本発明の請求項１０記載の空調用吹出し口は、制御装置にダンパーの開度または／およびファン用モータの回転数を指令する吹出し風量制御手段を備えたものである。
【００３８】
また、本発明の請求項１１記載の空調用吹出し口は、人感センサをさらに設け、ノズルが首振り動作によって風を吹出す範囲の人の有無を検知し、前記検知情報に基づいて前記吹出し風量制御手段を動作させるものである。
【００３９】
また、本発明の請求項１２記載の空調用吹出し口は、人感センサが、ノズルが首振り動作によって風を吹出す範囲に人の存在を検知した場合、吹出し風量制御手段により前記ノズルからの風の吹出しを自動的に開始し、人の存在を検知しなくなった場合、所定の遅延時間経過後に前記吹出し風量制御手段により前記ノズルからの風の吹出しを自動的に停止させるものである。
【００４０】
また、本発明の請求項１３記載の送風システムは、本発明の空調用吹出し口を単体で建築構造物に取り付け、単独あるいは複数の吹出し口が連携して周囲の空気を吸込んで目的とする方向へ送風することを特徴とするものであり、空気を順次搬送する送風システムや、室内外の境界線上に吹出すことでエアーカーテンとして使用する空調システム用途にも活用できるものである。
【００４１】
また、本発明の請求項１４記載の空調システムは、本発明の空調用吹出し口と、冷房、暖房など空調された空気を送る空気調和装置と、前記空気調和装置と前記空調用吹出し口とを連結し空調された空気を通風する通風路とで構成されるものである。
【００４２】
以下、本発明の実施の形態について図面を参照しながら説明する。
【００４３】
（実施の形態１）
図１は、本発明の実施の形態１における空調用吹出し口の縦断面図である。
【００４４】
図１において、通風路３の内部には、首振りモータ４が固定される。首振りモータ４の回転軸となるシャフト５の先端には放射状に首振り支持部６が設けられ、通風筒１は、首振り支持部６に取付けられて、首振りモータ４の駆動力を受け、回転するようになっている。通風筒１の先端には球形状の一部を成す保持部７が設けられている。８は、保持部７に包含され傾動可能に内接保持された球形状の一部を成す可動筒で、先端に風を吹出すための筒状のノズル９が取付けられている。１０は、可動筒８の内部に固定したファン用モータ１１により回転される斜流式羽根車で、回転することにより通風筒１から空気を吸ってノズル９から外へ風を送り出すことができる。
【００４５】
１２は、通風路３に固定された制御装置で、電気配線１３ａを介して首振りモータ４に、電気配線１３ｂを介してファン用モータ１１に、電気的に接続されている。制御装置１２は、設定部１４と処理部１５と出力部１６とを備え、設定部１４は、送信器１７を有する無線リモコン１８の発する赤外線信号を受信する受信器１９を含み、無線リモコン１８で設定した情報を送信器１７から受信器１９へ赤外線信号によって伝達する。無線通信手段として赤外線信号を利用することにより、比較的コストを安価にすることができる。２０は、通風路３に設けられ、人感センサ２１により人の有無を検知してノズル９から吹出す風量の制御を行う吹出し風量制御手段としてのダンパーで、電動モータ２２の動作により風路の開閉を行う。電動モータ２２へは、出力部１６から電気配線１３ｃを介して電気的に接続されている。なお、設定部１４には入力端子２３が設けられており、コンピュータ（図示せず）と接続することにより、コンピュータで予め作成されたプログラムを入力端子２３を介して処理部１５に入力することができる。
【００４６】
図２は、本発明実施の形態１における空調用吹出し口の無線リモコン正面図である。
【００４７】
無線リモコン１８には、首振り動作ＯＮ／ＯＦＦスイッチ１８ａ、首振り速度設定スイッチ１８ｂ、首振り角度設定スイッチ１８ｃ、首振り中心位置設定スイッチ１８ｄ、内部ファンＯＮ／ＯＦＦスイッチ１８ｅ、ダンパー開／閉スイッチ１８ｆが設けられている。
【００４８】
つぎに、本実施の形態１における動作を説明する。通風路３内に供給された冷房、暖房などの空調用空気は、通風筒１、可動筒８を通ってノズル９から吹出される。この時、自動首振り手段２としての首振りモータ４のシャフト５の回転が正転、逆転を繰り返すことにより、ノズル９を含む通風筒１の水平方向の自動首振り動作を行い、空調用吹出し口下方の人のいる場所に広範囲に空調用空気を供給させる、いわゆるゾーン空調を行うことができるものである。特に、冷房時には、人に向けて直接風を当てることにより、体感温度を下げる効果があり、しかも、人に対しては間欠風が当たるため、快適性を確保することができるものである。
【００４９】
この首振り動作の設定は、無線リモコン１８のスイッチによって行うことができる。例えば、人のいるところを中心に首振り動作をさせる場合は、まず首振り中心位置設定スイッチ１８ｄを押し続け、ノズル９が所望の首振り中心位置に達した時にスイッチから手を離す。つぎに、首振り動作ＯＮ／ＯＦＦスイッチ１８ａを押し首振り動作を開始させた後、首振り角度設定スイッチ１８ｃを数回押すことにより、好みの首振り角度（例えば６０°、９０°、１２０°など）を設定し、さらに、首振り速度設定スイッチ１８ｂを数回押すことにより、好みの速度（例えば、低速、中速、高速など）を設定する。これらの操作において、無線リモコン１８で設定した情報は、送信器１７から設定部１４の受信器１９へ赤外線信号で伝達され、処理部１５で記憶、処理された後、出力部１６により首振りモータ４へ指令を出し、ノズル９の自動首振り動作を制御するものである。なお、首振り動作によって回転する可動筒８に固定されたファン用モータ１１の電気配線１３ｂは制御装置１２に接続されており、斜流式羽根車１０を回転させて風をさらに起こすことができる。
【００５０】
また人感センサ２１により、ノズル９が風を吹出す範囲に人の存在を検知した場合、吹出し風量制御手段としてのダンパー２０が開となり、斜流式羽根車１０を回転させるファン用モータ１１が起動し、ノズル９からの風の吹出しを自動的に開始させる。人の存在を検知しなくなった場合、所定の遅延時間経過後に斜流式羽根車１０を回転させていたファン用モータ１１が停止し、吹出し風量制御手段としてのダンパー２０が閉となり、ノズル９からの風の吹出しを自動的に停止させる。これにより、必要な時間のみ空調用空気を供給するため、省エネルギー化を図ることができる。ここで、人の存在を検知しなくなった場合、所定の遅延時間後にファン用モータ１１を停止させダンパー２０を閉にする理由は、人感センサ２１に赤外線センサを用いた場合は、人の動きがない場合に人の存在を検知できないためで、遅延時間（一例として２分間）を設けることにより、人がいるにもかかわらず風の吹出しを停止してしまう、という誤動作を防止するものである。
【００５１】
なお、ファン用モータ１１に、インバータなどの速調装置を接続したり、モータ自身に速調機能を設けたりすることによって、吹出し風量制御手段として機能させることも可能である。
【００５２】
（実施の形態２）
図３と図４は、本発明の実施の形態２における空調用吹出し口の縦断面図である。図３と図４において、図１と同じ構成要素については同じ記号を用い、説明を省略する。
【００５３】
図３において、３１は、可動筒８の内部に固定したファン用モータ１１により回転される軸流式羽根車で、回転することにより通風筒１から空気を吸ってノズル９から外へ風を送り出すことができる。
【００５４】
図４において、４１は、可動筒８の内部に固定したファン用モータ１１により回転されるプロペラ式羽根車で、回転することにより通風筒１から空気を吸ってノズル９から外へ風を送り出すことができる。
【００５５】
このように実施形態２によれば、通風筒１から空気を吸ってノズル９から外へ風をより強く送り出すことができる。
【００５６】
（実施の形態３）
図５と図６は、本発明の実施の形態３における空調用吹出し口の縦断面図である。図５と図６において、図１と同じ構成要素については同じ記号を用い、説明を省略する。
【００５７】
図５において、５１は、ノズル９の内部に固定したファン用モータ１１により回転される軸流式羽根車で、回転することにより通風筒１、可動筒８から空気を吸ってノズル９から外へ風を送り出すことができる。
【００５８】
図６において、６１は、ノズル９の内部に固定したファン用モータ１１により回転されるプロペラ式羽根車で、回転することにより通風筒１、可動筒８から空気を吸ってノズル９から外へ風を送り出すことができる。
【００５９】
このように実施形態３によれば、通風筒１、可動筒８から空気を吸ってノズル９から外へ風をより強く送り出すことができる。
【００６０】
（実施の形態４）
図７は、本発明の実施の形態３における空調用吹出し口の縦断面図である。図７において、図１と同じ構成要素については同じ記号を用い、説明を省略する。
【００６１】
図７において、７１は、通風筒１の内部に固定したファン用モータ１１により回転される軸流式羽根車で、回転することにより通風路３から空気を吸って、可動筒８とノズル９から外へ風を送り出すことができる。この軸流式羽根車７１の替わりにプロペラ式羽根車（図示せず）を使用しても同じ効果が得られる。
【００６２】
（実施の形態５）
図８と図９は、本発明の実施の形態５における空調用吹出し口の縦断面図である。図８と図９において、図１と同じ構成要素については同じ記号を用い、説明を省略する。
【００６３】
図８において、８１は、ノズル９の内部に取付けたダンパーで電動モータ２２によって開閉される。これは空調用空気を必要とされない場合に閉められ、空調空気の無駄な漏れを防ぐことができる構造である。
【００６４】
図９において、９１は、可動筒８の内部に取付けたダンパーで電動モータ２２によって開閉される。これは空調用空気を必要とされない場合に閉められ、空調空気の無駄な漏れを防ぐことができる構造である。
【００６５】
（実施の形態６）
図１０と図１１と図１２は、本発明の実施の形態６における空調用吹出し口の縦断面図と活用の一例である。図１０において、図１と同じ構成要素については同じ記号を用い、説明を省略する。
【００６６】
図１０において、空調用吹出し口は建築構造物９２に取付けられており、その周囲より空気を吸込み、斜流式羽根車１０の回転によりノズル９から風が吹出される。これは空調用空気（冷房、暖房）ではなく、周囲の空気を吸って風を吹出す力を利用する物で、図１１の建築物平面図に示すように、この空調用吹出し口複数台を並列、直列に配置することで設置空間内での空気を層流流れとして押し出していく送風システムとしての効果がある。また、図１２の建物横断面図に示すように１台ないしは並列に並べた複数台の空調用吹出し口を運転すると建築物出入口のエアーカーテンとして建物内の空調温度維持に活用する空調システムとして活用することも可能である。
【産業上の利用可能性】
【００６７】
本発明の空調用吹出し口は、建物内の大空間において冷房や暖房の空調を行う場合に使用される自動首振り吹出し口として有用である。また、換気、送風のみの用途にも適用できる。
【図面の簡単な説明】
【００６８】
【図１】本発明の実施の形態１の斜流式羽根車を利用した空調用吹出し口を示す縦断面図
【図２】本発明の実施の形態１の空調用吹出し口の無線リモコンを示す正面図
【図３】本発明の実施の形態２の軸流式羽根車を利用した空調用吹出し口を示す縦断面図
【図４】本発明の実施の形態２のプロペラ式羽根車を利用した空調用吹出し口を示す縦断面図
【図５】本発明の実施の形態３の軸流式羽根車を利用した空調用吹出し口を示す縦断面図
【図６】本発明の実施の形態３のプロペラ式羽根車を利用した空調用吹出し口を示す縦断面図
【図７】本発明の実施の形態４の軸流式羽根車を利用した空調用吹出し口を示す縦断面図
【図８】本発明の実施の形態５の斜流式羽根車を利用した空調用吹出し口を示す縦断面図
【図９】本発明の実施の形態５のプロペラ式羽根車を利用した空調用吹出し口を示す縦断面図
【図１０】本発明の実施の形態６の建築構造物に取付けた空調用吹出し口を示す縦断面図
【図１１】本発明の実施の形態６の空調用吹出し口を建築構造物に取付けた時の平面図
【図１２】本発明の実施の形態６の空調用吹出し口を建築構造物に取付けた時の側面図
【図１３】従来の空調用吹出し口の縦断面図
【符号の説明】
【００６９】
１      通風筒
２      自動首振り手段
３      通風路
４      首振りモータ
５      シャフト
６      首振り支持部
７      保持部
８      可動筒
９      ノズル
１０    斜流式羽根車
１１    ファン用モータ
１２    制御装置
１３ａ  電気配線
１３ｂ  電気配線
１３ｃ  電気配線
１４    設定部
１５    処理部
１６    出力部
１７    送信器
１８    無線リモコン
１９    受信器
２０、８１、９１  ダンパー
２１    人感センサ
２２    電動モータ
２３    入力端子
３１、５１、７１  軸流式羽根車
４１、６１  プロペラ式羽根車
９２    建築構造物
【図１】
2008101802.tif 000003
【図２】
2008101802.tif 000004
【図３】
2008101802.tif 000005
【図４】
2008101802.tif 000006
【図５】
2008101802.tif 000007
【図６】
2008101802.tif 000008
【図７】
2008101802.tif 000009
【図８】
2008101802.tif 000010
【図９】
2008101802.tif 000011
【図１０】
2008101802.tif 000012
【図１１】
2008101802.tif 000013
【図１２】
2008101802.tif 000014
【図１３】
2008101802.tif 000015